(57)【要約】【課題】電源がオフされた後に残像が生じることを回避し、表示品位の良好な液晶表示装置および液晶表示装置の駆動方法を提供する。【解決手段】第２電極ＣＯＭに電圧を供給する第１供給配線Ｗ１および第２供給配線Ｗ２と、第１供給配線Ｗ１および第２供給配線Ｗ２と第２電極ＣＯＭとの間に配置され、制御手段から出力された信号により第１供給配線Ｗ１と第２電極ＣＯＭとの接続および第２供給配線Ｗ２と第２電極ＣＯＭとの接続を切り替える第１切替手段ＳＷ１と、第１供給配線Ｗ１と信号線ＳＬとの間に配置され、制御手段から出力された信号により第１供給配線Ｗ１と信号線ＳＬとの接続を切り替える第２切替手段ＳＷ２と、走査線駆動回路ＳＤおよび制御手段から出力された信号が供給され、走査線ＧＬに画素スイッチＳＷＰをオンする信号を供給可能に構成されたゲートオープン手段ＧＣと、を備えた液晶表示装置。【選択図】図１
2011095622.tif 000002
【特許請求の範囲】
【請求項１】
基板上にマトリクス状に配置された複数の第１電極と、
前記複数の第１電極の配列する行に沿って延びる走査線と、
前記複数の第１電極の配列する列に沿って延びる信号線と、
前記走査線と前記信号線との交差部近傍に配置され、前記走査線に供給された信号により前記信号線と前記第１電極との接続を切り替える画素スイッチと、
前記走査線を順次駆動する走査線駆動回路と、
前記行方向に並ぶ複数の前記第１電極と絶縁層を介して対向するように配置された第２電極と、
前記第２電極に第１電圧を供給する第１供給配線および第２電圧を供給する第２供給配線と、
前記第１供給配線および前記第２供給配線と前記第２電極との間に配置され、制御手段から出力された信号により、前記第１供給配線と前記第２電極との接続および前記第２供給配線と前記第２電極との接続を切り替える第１切替手段と、
前記第１供給配線と前記信号線との間に配置され、前記制御手段から出力された信号により前記第１供給配線と前記信号線との接続を切り替える第２切替手段と、
前記走査線駆動回路および前記制御手段から出力された信号が供給され、前記走査線に前記画素スイッチをオンする信号を供給可能に構成されたゲートオープン手段と、を備えた液晶表示装置。
【請求項２】
前記制御手段は、前記液晶表示装置の電源がオフされた時に、前記第１切替手段を制御して、前記第１供給配線と前記第２電極とを接続させ、前記第２切替手段を制御して前記第１供給配線と前記信号線とを接続させ、前記ゲートオープン手段に全ての前記走査線に前記画素スイッチをオンする信号を、前記第１切替手段、前記第２切替手段、および前記ゲートオープン手段に供給するように構成された請求項１記載の液晶表示装置。
【請求項３】
前記第１切替手段は、前記制御回路から出力された制御信号により動作を制御され、前記第１供給配線と前記第２電極との接続を切り替える第１スイッチング素子と、前記第２供給配線と前記第２電極との接続を切り替える第２スイッチング素子と、を備え、
前記第２切替手段は、前記制御信号により動作を制御され、前記第１供給配線と前記信号線との接続を切り替える第３スイッチング素子を備え、
前記ゲートオープン手段は、前記走査線駆動回路から出力された信号が入力される否定回路と、前記否定回路から出力された信号と前記制御手段から出力された制御信号とが入力される否定論理積回路とを備え、
前記制御手段は、前記液晶表示装置の電源がオフされたときに、前記制御信号をローレベルとし、前記第１スイッチング素子をオンさせ、前記第２スイッチング素子をオフさせ、前記第３スイッチング素子をオンさせるように構成されている請求項１記載の液晶表示装置。
【請求項４】
基板上にマトリクス状に配置された複数の第１電極と、
前記複数の第１電極の配列する行に沿って延びる走査線と、
前記複数の第１電極の配列する列に沿って延びる信号線と、
前記走査線と前記信号線との交差部近傍に配置され、前記走査線に供給された信号により前記信号線と前記第１電極との接続を切り替える画素スイッチと、
前記走査線を順次駆動する走査線駆動回路と、
前記行方向に並ぶ複数の前記第１電極と絶縁層を介して対向するように配置された第２電極と、
前記第２電極に電圧を供給する第１供給配線および第２供給配線と、
前記第１供給配線および前記第２供給配線と前記第２電極との間に配置され、前記第１供給配線と前記第２電極との接続および前記第２供給配線と前記第２電極との接続を切り替える第１切替手段と、
前記第１供給配線と前記信号線との間に配置され、前記第１供給配線と前記信号線との接続を切り替える第２切替手段と、
前記走査線駆動回路から出力された信号が供給され、前記走査線に前記画素スイッチをオンする信号を供給可能に構成されたゲートオープン手段と、を備えた液晶表示装置の駆動方法であって、
前記液晶表示装置の電源がオフされた時に、前記第１切替手段を制御して、前記第１供給配線と前記走査線とを接続させ、
前記第２切替手段を制御して前記第１供給配線と前記信号線とを接続させ、
前記ゲートオープン手段に全ての前記走査線に前記画素スイッチをオンする信号を供給させる液晶表示装置の駆動方法。
【請求項５】
前記第１切替手段は、前記制御回路から出力された制御信号により動作を制御され、前記第１供給配線と前記第２電極との接続を切り替える第１スイッチング素子と、前記第２供給配線と前記第２電極との接続を切り替える第２スイッチング素子と、を備え、
前記第２切替手段は、前記制御信号により動作を制御され、前記第１供給配線と前記信号線との接続を切り替える第３スイッチング素子を備え、
前記ゲートオープン手段は、前記走査線駆動回路から出力された信号が入力される否定回路と、前記否定回路から出力された信号と前記制御手段から出力された制御信号とが入力される否定論理積回路とを備えた液晶表示装置の駆動方法であって、
前記液晶表示装置の電源がオフされたときに、前記制御信号をローレベルとし、前記第１スイッチング素子をオンさせ、前記第２スイッチング素子をオフさせ、前記第３スイッチング素子をオンさせるように構成されている請求項４記載の液晶表示装置の駆動方法。
【発明の詳細な説明】
【技術分野】
【０００１】
本発明は、液晶表示装置および液晶表示装置の駆動方法に関し、特に、アクティブマトリクス型の液晶表示装置およびその駆動方法に関する。
【背景技術】
【０００２】
アクティブマトリクス型の液晶表示装置は、互いに対向する一対の基板と、この一対の基板間に挟持された液晶層と、マトリクス状に配置された複数の表示画素からなる表示部と、を備えている。上記一対の基板の一方は、表示部において、複数の表示画素が配列する行に沿って配置された走査線と、複数の表示画素が配列する列に沿って配置された信号線と、を備えている。液晶層に含まれる液晶分子は、液晶層に印加される電界によって、その配向状態が制御される。
【０００３】
一対の基板の一方にマトリクス状に配置された複数の第１電極と、複数の第１電極と対向する第２電極とを有し、第１電極と第２電極との間に生じる横電界によって液晶層に含まれる液晶分子の配向状態を制御するＩＰＳ（In-Plane Switching）方式やＦＦＳ（Fringe Field Switching）方式の液晶表示装置が提案されている。
【０００４】
液晶表示装置ではフリッカ対策として、走査ライン毎に液晶印加電圧の極性を反転させる交番反転駆動が提案されている。ＩＰＳ方式やＦＦＳ方式の液晶表示装置で交番電界駆動を行う場合、第２電極を走査ライン毎に配置し、１フレーム期間毎に第２電極に供給する電圧をハイ（Ｈ）レベルとロー（Ｌ）レベルとのいずれかに切り替えて、液晶層に印加される電圧の極性を反転させる。この構成では、第２電極に供給される２種類の電圧と、第１電極に順次書き込まれる映像信号とにより液晶層に含まれる液晶分子の配向が制御される。
【０００５】
例えばノーマリブラックモードの液晶表示装置において電源がオフされた時には、あらかじめ規定されたオフシーケンスに従って、黒データ（黒表示に対応する映像信号）を、全表示画素に書き込んで黒表示を行うことによって画面の乱れをなくし、しかる後に電源供給ラインに挿入された電源スイッチをオフすることによって、液晶パネルへの電源供給を遮断する場合がある。
【０００６】
しかしながら、第２電極に供給される電圧が、正極と負極との２種類存在する場合、仮に全表示画素に黒データを書き込んだとしても、電源オフ後はハイレベルのコモン電位とローレベルのコモン電位の放電にかかる時間が異なるため、ヨコスジ状の残像が発生してしまうことがあった。
【０００７】
また、黒データの書き込みは、通常の表示データの書き込みと同様にスキャン動作によって行単位で順次行われるため、黒データを１画面分書き込むのに最低１フィールド期間の時間を要する。このため、瞬間的な出来事である突発的な電源断には対応できず残像が生じることを避けることが困難であった。
【０００８】
信号線に供給する信号の振幅を小さくするために、画素容量と結合する補助容量と、この補助容量に電圧を供給する補助容量線とを備える液晶表示装置が提案されている。従来、補助容量線にローレベルの電圧を供給する低電圧配線と、補助容量にハイレベルの電圧を供給する高電圧配線と、補助容量配線と低電圧配線および高電圧配線のいずれかを接続する開閉回路とを備える液晶表示装置が提案されている（特許文献１参照。）
【先行技術文献】
【特許文献】
【０００９】
【特許文献１】特開２００９−１０４０５０号公報
【発明の概要】
【発明が解決しようとする課題】
【００１０】
本発明は上記事情に鑑みて成されたものであって、電源がオフされた後に残像が生じることを回避し、表示品位の良好な液晶表示装置および液晶表示装置の駆動方法を提供することを目的とする。
【課題を解決するための手段】
【００１１】
本発明の第１態様による液晶表示装置は、基板上にマトリクス状に配置された複数の第１電極と、前記複数の第１電極の配列する行に沿って延びる走査線と、前記複数の第１電極の配列する列に沿って延びる信号線と、前記走査線と前記信号線との交差部近傍に配置され、前記走査線に供給された信号により前記信号線と前記第１電極との接続を切り替える画素スイッチと、前記走査線を順次駆動する走査線駆動回路と、前記行方向に並ぶ複数の前記第１電極と絶縁層を介して対向するように配置された第２電極と、前記第２電極に第１電圧を供給する第１供給配線および第２電圧を供給する第２供給配線と、前記第１供給配線および前記第２供給配線と前記第２電極との間に配置され、制御手段から出力された信号により、前記第１供給配線と前記第２電極との接続および前記第２供給配線と前記第２電極との接続を切り替える第１切替手段と、前記第１供給配線と前記信号線との間に配置され、前記制御手段から出力された信号により前記第１供給配線と前記信号線との接続を切り替える第２切替手段と、前記走査線駆動回路および前記制御手段から出力された信号が供給され、前記走査線に前記画素スイッチをオンする信号を供給可能に構成されたゲートオープン手段と、を備えた液晶表示装置である。
【００１２】
本発明の第２態様による液晶表示装置の駆動方法は、基板上にマトリクス状に配置された複数の第１電極と、前記複数の第１電極の配列する行に沿って延びる走査線と、前記複数の第１電極の配列する列に沿って延びる信号線と、前記走査線と前記信号線との交差部近傍に配置され、前記走査線に供給された信号により前記信号線と前記第１電極との接続を切り替える画素スイッチと、前記走査線を順次駆動する走査線駆動回路と、前記行方向に並ぶ複数の前記第１電極と絶縁層を介して対向するように配置された第２電極と、前記第２電極に電圧を供給する第１供給配線および第２供給配線と、前記第１供給配線および前記第２供給配線と前記第２電極との間に配置され、前記第１供給配線と前記第２電極との接続および前記第２供給配線と前記第２電極との接続を切り替える第１切替手段と、前記第１供給配線と前記信号線との間に配置され、前記第１供給配線と前記信号線との接続を切り替える第２切替手段と、前記走査線駆動回路から出力された信号が供給され、前記走査線に前記画素スイッチをオンする信号を供給可能に構成されたゲートオープン手段と、を備えた液晶表示装置の駆動方法であって、前記液晶表示装置の電源がオフされた時に、前記第１切替手段を制御して、前記第１供給配線と前記走査線とを接続させ、前記第２切替手段を制御して前記第１供給配線と前記信号線とを接続させ、前記ゲートオープン手段に全ての前記走査線に前記画素スイッチをオンする信号を供給させる液晶表示装置の駆動方法である。
【発明の効果】
【００１３】
本発明によれば、電源がオフされた後に残像が生じることを回避し、表示品位の良好な液晶表示装置および液晶表示装置の駆動方法を提供することができる。
【図面の簡単な説明】
【００１４】
【図１】本発明の一実施形態に係る液晶表示装置の通常駆動時の動作の一例を説明するための図である。
【図２】本発明の一実施形態に係る液晶表示装置のオフ駆動時の動作の一例を説明するための図である。
【図３】本発明の一実施形態に係る液晶表示装置の駆動方法の一例を説明するためのタイミングチャートである。
【発明を実施するための形態】
【００１５】
以下、本発明の一実施形態に係る液晶表示装置および液晶表示装置の駆動方法について、図面を参照して説明する。本実施形態に係る液晶表示装置は、ノーマリブラックであってＦＦＳ方式の液晶表示装置である。
【００１６】
図１および図２に示すように、本実施形態に係る液晶表示装置は、互いに対向した一対の基板、アレイ基板（図示せず）および対向基板（図示せず）と、アレイ基板と対向基板との間に挟持された液晶層ＬＱと、マトリクス状に配置された表示画素ＰＸからなる表示部（図示せず）とを備えている。
【００１７】
アレイ基板は、透明絶縁性基板（図示せず）と、この透明絶縁性基板上において、各表示画素ＰＸに配置された画素電極ＰＥと、画素電極ＰＥの配列する行に沿って延びる走査線ＧＬ（ＧＬ１、ＧＬ２、ＧＬ３…）と、画素電極ＰＥの配列する列に沿って延びる信号線ＳＬ（ＳＬ１、ＳＬ２、ＳＬ３…）と、走査線ＧＬと信号線ＳＬとが交差する位置近傍に配置された画素スイッチＳＷＰと、絶縁層（図示せず）を介して複数の画素電極ＰＥと対向するように配置されたコモン電極ＣＯＭ（ＣＯＭ１、ＣＯＭ２、ＣＯＭ３…）と、を備えている。
【００１８】
画素スイッチＳＷＰは、スイッチング素子として薄膜トランジスタ（ＴＦＴ：Thin Film Transistor）を備えている。薄膜トランジスタのゲート電極は、対応する走査線ＧＬに電気的に接続されている（あるいは一体に形成されている）。薄膜トランジスタのソース電極は、対応する信号線ＳＬに電気的に接続されている（あるいは一体に形成されている）。薄膜トランジスタのドレイン電極は、対応する画素電極ＰＥに電気的に接続されている（あるいは一体に形成されている）。
【００１９】
薄膜トランジスタのゲート電極にオン電圧が印加されると、ソース電極とドレイン電極との間が導通し、対応する信号線ＳＬから画素電極ＰＥに映像信号が供給される。画素電極ＰＥに印加される映像信号とコモン電極ＣＯＭに印加されるコモン電圧とにより液晶容量が形成される。
【００２０】
画素電極ＰＥには例えば所定の間隔を置いてスリットが設けられ、絶縁層を介して配置されたコモン電極ＣＯＭとの間に横電界が生じる。この横電界によって、液晶層ＬＱに含まれる液晶分子の配向状態が制御される。各表示画素ＰＸは液晶容量と結合する補助容量ＣＳをさらに備えている。液晶容量は、液晶層に印加される電界によって液晶層に蓄えられる。補助容量ＣＳは、画素電極ＰＥとコモン電極ＣＯＭとの間に生じる容量である。
【００２１】
コモン電極ＣＯＭは、走査線ＧＬと略平行に延びて配置され、各コモン電極ＣＯＭは、行方向に並ぶ画素電極ＰＥと対向している。アレイ基板は、コモン電極ＣＯＭにコモン電圧を供給する第２供給配線Ｗ２および第１供給配線Ｗ１を備えている。第２供給配線Ｗ２には、ハイレベルのコモン電圧（ＣＳＨ）が印加される。第１供給配線Ｗ１には、ローレベルのコモン電圧（ＣＳＬ）が印加される。なお、本実施形態では、ローレベルのコモン電圧（ＣＳＬ）はグランド電圧と略等しくなるように設定されている。
【００２２】
コモン電極ＣＯＭの一端部は、第１スイッチング回路ＳＷ１に接続されている。第１スイッチング回路ＳＷ１は、コモン電極ＣＯＭと第２供給配線Ｗ２との間の接続を切り替えるスイッチング素子Ｓ１、および、コモン電極ＣＯＭと第１供給配線Ｗ１との間の接続を切り替えるスイッチング素子Ｓ２を備えている。スイッチング素子Ｓ１およびスイッチング素子Ｓ２は、図示しない制御回路から出力されるＳＨＵＴ信号によって通常駆動と電源オフ駆動とを切り替える駆動切替手段によりオンあるいはオフが制御される。
【００２３】
信号線ＳＬの一端部は、第２スイッチング回路ＳＷ２に接続されている。第２スイッチング回路ＳＷ２は、信号線ＳＬと第１供給配線Ｗ１との間の接続を切り替えるスイッチング素子Ｓ３を備えている。スイッチング素子Ｓ３は、図示しない制御回路から出力されるＳＨＵＴ信号によって、オンあるいはオフが制御される。
【００２４】
信号線ＳＬの他端部は、第３スイッチング回路ＳＷ３に接続されている。第３スイッチング回路ＳＷ３は、図示しない信号線駆動回路の出力端子と、信号線ＳＬとの接続を切り替えるスイッチング素子Ｓ４を備えている。スイッチング回路ＳＷ３は、信号線駆動回路の１つの出力端子から出力される映像信号を、３つの信号線ＳＬのいずれかに供給するように構成されている。
【００２５】
走査線ＧＬの一端は、ゲートオープン回路ＧＣとゲートバッファ回路ＧＢＦを介して走査線駆動回路ＧＤに接続されている。ゲートオープン回路ＧＣは、走査線駆動回路ＧＤから出力された走査信号が入力されるＮＯＴ回路（否定回路）ＧＣＡと、ＮＯＴ回路ＧＣＡから出力された信号と、図示しない制御回路から出力されたＳＨＵＴ信号とが入力されるＮＡＮＤ回路（否定論理積回路）ＧＣＢと、を備えている。ゲートオープン回路ＧＣのＮＡＮＤ回路ＧＣＢから出力された信号は、ゲートバッファ回路ＧＢＦのバッファに供給され、バッファを介して走査線ＧＬに供給される。
【００２６】
図１には、画素電極ＰＥに映像信号を供給する通常表示駆動を行っているときの液晶表示装置の一構成例を示している。図１に示す場合では、ＳＨＵＴ信号はハイ（Ｈ）レベルである。このとき、コモン電極ＣＯＭ１はスイッチング素子Ｓ１により第２供給配線Ｗ２に接続され、コモン電極ＣＯＭ２はスイッチング素子Ｓ２により第１供給配線Ｗ１に接続され、コモン電極ＣＯＭ３はスイッチング素子Ｓ１により第２供給配線Ｗ２に接続される。つまり、隣合うコモン電極ＣＯＭには異なるレベルの電圧が供給される。
【００２７】
１フレーム期間後には、コモン電極ＣＯＭ１はスイッチング素子Ｓ２により第１供給配線Ｗ１に接続され、コモン電極ＣＯＭ２はスイッチング素子Ｓ１により第２供給配線Ｗ２に接続され、コモン電極ＣＯＭ３はスイッチング素子Ｓ２により第１供給配線Ｗ１に接続される。このように１フレーム期間毎に、コモン電極ＣＯＭに供給される電圧レベルが変化する。
【００２８】
第２スイッチ回路ＳＷ２のスイッチング素子Ｓ３は、ＳＨＵＴ信号によりオフされる。ゲートオープン回路ＧＣのＮＡＮＤ回路ＧＣＢは、ＮＯＴ回路ＧＣＡから出力された信号とＳＨＵＴ信号とから、走査線駆動回路ＧＤから出力された走査信号と同様の信号を出力する。ＮＡＮＤ回路ＧＣＢから出力された信号はゲートバッファ回路ＧＢＦを介して走査線ＧＬに供給され、図３に示すように走査線ＧＬが一水平期間毎に順次駆動される。
【００２９】
第３スイッチ回路ＳＷ３のスイッチング素子Ｓ４は、１水平期間において順次オンされて、信号線駆動回路の１つの出力端子から出力された映像信号を３つの信号線ＳＬに供給する。信号線ＳＬに供給された映像信号は、画素スイッチＳＷＰを介して画素電極ＰＥに供給される。
【００３０】
図２には、液晶表示装置がオフ駆動を行っているときの一構成例を示している。液晶表示装置の電源がオフされると、制御手段はオフ駆動を開始する。図３に示すように、制御手段は、電源がオフされたタイミングＴ１からオフ駆動を開始し、例えば所定時間が経過したタイミングＴ２で制御手段への電源供給ライン（図示せず）に挿入されたスイッチをオフする。なお、通常駆動時には、電源供給ラインには電源電圧ＶＤＤが供給されている。
【００３１】
図２に示す場合では、ＳＨＵＴ信号はロー（Ｌ）レベルである。このとき、全てのコモン電極ＣＯＭがスイッチング素子Ｓ２により第１供給配線Ｗ１に接続される。つまり、全てのコモン電極ＣＯＭには第１供給配線Ｗ１からローレベルのコモン電圧（ＣＳＬ）が供給される。
【００３２】
第２スイッチ回路ＳＷ２のスイッチング素子Ｓ３は、ＳＨＵＴ信号によりオンされる。ゲートオープン回路ＧＣのＮＡＮＤ回路ＧＣＢは、ＮＯＴ回路ＧＣＡから出力された信号とＳＨＵＴ信号とから、画素スイッチＳＷＰをオンする走査信号を出力する。ＮＡＮＤ回路ＧＣＢから出力された信号はゲートバッファ回路ＧＢＦを介して走査線ＧＬに供給され、図３に示すように一斉に走査線ＧＬに画素スイッチＳＷＰをオンする走査信号が供給される。
【００３３】
第３スイッチ回路ＳＷ３のスイッチング素子Ｓ４は、ＳＨＵＴ信号により全てオフされる。したがって、信号線ＳＬには、第１供給配線Ｗ１からローレベルのコモン電圧（ＣＳＬ）が供給され、画素スイッチＳＷＰを介して全ての画素電極ＰＥにローレベルのコモン電圧（ＣＳＬ）が供給される。
【００３４】
したがって、画素電極ＰＥに供給される電圧と、コモン電極ＣＯＭに供給される電圧とが同じ値となるため、液晶分子の配向状態を制御するための電位差の値はゼロとなり、表示部は黒表示状態となる。
【００３５】
上記のように、液晶表示装置がオフ駆動を行うと、黒表示に対応する信号を複数の画素電極に一斉に供給することができ、画素電極の充電に要する時間（タイミングＴ１からタイミングＴ２までの時間）を短縮することができる。また、すべてのコモン電極ＣＯＭに共通のコモン電圧が供給されるため、電源電圧ＶＤＤの供給がオフされた後における隣合うコモン電極ＣＯＭの放電時間が略等しくなる。
【００３６】
そのため、電源電圧ＶＤＤがオフされる前に黒表示に対応する信号の書き込みが完了し、電源電圧ＶＤＤの供給がオフされた後に残像が表示されることが無くなる。さらに、液晶表示装置の電源が突発的にオフされた場合であっても、電源供給ラインからの電源電圧ＶＤＤの供給がオフされる前に画素電極ＰＥおよびコモン電極ＣＯＭへの信号書き込みを終了することが可能であって、突発的に電源オフされた場合であっても、残像なく黒表示を行うことができる。
【００３７】
さらに、本実施形態に係る液晶表示装置によれば、液晶表示装置の電源がオフされたときに、信号線ＳＬとコモン電極ＣＯＭとに同じ電圧を供給する際に、コモン電圧を供給する第１供給配線Ｗ１を用いているため、新たに供給配線を設ける必要がない。
【００３８】
すなわち、本実施形態に係る液晶表示装置および液晶表示装置の駆動方法によれば、表示品位の良好な液晶表示装置および液晶表示装置の駆動方法を提供することができる。
【００３９】
なお、この発明は、上記実施形態そのままに限定されるものではなく、実施段階ではその要旨を逸脱しない範囲で構成要素を変形して具体化できる。
【００４０】
例えば、上記実施形態に係る液晶表示装置では、液晶表示装置の電源がオフされたときに、第１スイッチング回路ＳＷ１にコモン電極ＣＯＭと第１供給配線Ｗ１とを接続させるとともに、第２スイッチング回路ＳＷ２に信号線ＳＬと第１供給配線Ｗ１とを接続させるように構成されていたが、液晶表示装置の電源がオフされたときに、第１スイッチング回路ＳＷ１にコモン電極ＣＯＭと第２供給配線Ｗ２とを接続させるとともに、第２スイッチング回路ＳＷ２に信号線ＳＬと第２供給配線Ｗ２とを接続させるように構成されていても良い。
【００４１】
いずれの場合であっても、コモン電極ＣＯＭと信号線ＳＬとに同じ電圧が供給されるため、上述の実施形態に係る液晶表示装置と同様の効果を得ることができる。
【００４２】
また、上記の実施形態に係る液晶表示装置はＦＦＳ方式の液晶表示装置であったが、コモン電圧を変化させることにより１又は複数の走査ライン毎に液晶層ＬＱに印加する電位の極性を反転させる液晶表示装置であれば、本発明を適用することにより上述の実施形態に係る液晶表示装置と同様の効果を得ることができる。
【００４３】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００４４】
ＬＱ…液晶層、ＰＸ…表示画素、ＰＥ…画素電極（第１電極）、ＧＬ…走査線、ＳＬ…信号線、ＳＷＰ…画素スイッチ、ＣＯＭ…コモン電極（第２電極）、Ｗ１…第１供給配線、Ｗ２…第２供給配線、Ｓ１…第１スイッチング素子、Ｓ２…第２スイッチング素子、Ｓ３…第３スイッチング素子、Ｓ４…第４スイッチング素子、ＧＣ…ゲートオープン回路（ゲートオープン手段）、ＧＤ…走査線駆動回路、ＳＷ１…第１スイッチング回路（第１切替手段）ＳＷ２…第２スイッチング回路（第２切替手段）
【図１】
2011095622.tif 000003
【図２】
2011095622.tif 000004
【図３】
2011095622.tif 000005